(57)【要約】      （修正有）【課題】着脱可能な外科用鋸刃を振動回転で駆動するように構成された外科用切断装置を提供する。【解決手段】鋸刃１０６は、切断装置の内部の保持部材及びクランプ部材に保持され、駆動板に着脱自在に付着されている。保持部材は、外表面と、第１の端部において開いた細長いスロットとを具備していてもよく、この保持部材において細長いスロットは、離間した細長い側面と、細長い側面の間に延在する保持表面と、スロットの第１の端部に対向する第２の端部における端面と、を備える。クランプ部材は、細長いスロットに隣接して配置され、細長いスロット内で移動可能なクランプ面を含み得る。解放ピンを、保持部材に対して解放方向へ解放ピンの軸と平行に動かすと、クランプ面を保持表面から離れた向きへ動かせる。【選択図】図１
2014117609.tif 000002
【特許請求の範囲】
【請求項１】
外科用鋸器具であって、
外表面と、第１の端部において開放された細長いスロットとを含む保持部材であって、前記細長いスロットが、離間した細長い側面と、前記細長い側面の間に延在している保持表面と、前記細長いスロットの前記第１の端部に対向する第２の端部における端面と、を含む、保持部材と、
前記細長いスロットに隣接して配置されたクランプ面を有し、前記細長いスロット内で移動可能なクランプ部材と、
前記クランプ部材に強固に装着され、前記保持部材に摺動可能に装着された第１の端部と、前記クランプ部材及び前記保持部材から間隔をおいて配置された第２の端部と、前記第１の端部と前記第２の端部との間に延在する軸と、を有する解放ピンと、を含み、
前記解放ピンを前記解放ピンの軸と平行に、前記保持部材に対して解放方向へ動かすと、前記クランプ面が前記保持表面から離れた向きへ移動する、外科用鋸器具。
【請求項２】
ハウジングと、
前記解放ピンを保持し且つ前記解放ピンの軸と平行に摺動するスリーブであって、前記ハウジング内に載置され、前記解放ピンの軸の周りを回転するスリーブと、
を更に備える、請求項１に記載の器具。
【請求項３】
前記器具が、前記解放ピンの前記第１の端部に強固に装着され前記解放ピンの軸に対して垂直に延在するクロスピンを更に含み、
前記クランプ部材が円形穴を更に含み、
前記クロスピンが前記円形穴を通って延在して前記クランプ部材を前記解放ピンに付着させ、
前記保持部材が、前記解放ピンの軸に平行な方向に溝削りされたスロット穴を更に含み、且つ
前記クロスピンが、前記スロット穴を通って延在して前記保持部材を前記解放ピンに摺動可能に付着させる、請求項１に記載の器具。
【請求項４】
前記解放ピンが、前記解放方向の反対側に向かって外側に延在するフランジを更に含み、
前記解放ピンの前記第２の端部が前記スリーブを越えて延在し、
前記スリーブが、前記解放方向に向かって内側に延在するフランジを更に含み、且つ
前記器具が、前記解放ピンの前記外側に延在するフランジと前記スリーブの前記内側に延在するフランジとの間に延在する圧縮ばねを更に備える、請求項２に記載の器具。
【請求項５】
外科用鋸器具であって、
ハウジングと、
駆動板と、
回転軸の周りを回転するように装着され、前記駆動板と共に回転するように係合位置内に保持されている保持部材であって、解放された位置に更に移動でき前記駆動板とは独立に回転するようになっている、保持部材と、
前記保持部材と共に前記回転軸の周りを回転するように装着され、前記保持部材上でクランプ位置に保持されたクランプ部材であって、前記保持部材から離して開位置へと移動でき、前記クランプ位置において前記保持部材及び前記クランプ部材が、開口端を有する細長いスロットを形成し、前記細長いスロットの前記開口端から外部に延在している刃部分を有する前記外科用鋸刃のシャンクを保持しており、前記クランプ位置において前記保持部材及び前記クランプ部材が、外科用鋸刃のシャンクを解放するための細長いスロットを形成して前記細長いスロットの前記開口端を通して取り外せるようになっている、クランプ部材と、
前記保持部材を前記係合位置に保持すると同時に、前記係合位置において更に前記クランプ部材を保持し、解放された位置に移動可能な解放ピンであって、前記解放位置にある前記解放ピンが前記保持部材を前記解放された位置に保持し、前記クランプ部材を前記開位置に保持する、解放ピンと、を備える、外科用鋸器具。
【請求項６】
モータと、
前記モータを介して回転式に駆動される駆動軸と、
前記駆動軸の端に配置された偏心軸と、
前記偏心軸上に回転可能に装着されたローラーであって、前記駆動板が、離間した接触面を更に含み、前記接触面が、前記ローラーの両側に係合して前記駆動板を振動回転させる、ローラーと、を更に備える、請求項５に記載の外科用鋸器具。
【請求項７】
前記器具が、前記回転軸から外側に向かって前記回転軸に対して垂直な方向に延在するハンドル部分を更に備え、且つ
前記保持部材が、前記回転軸の周りに複数の異なる角度で前記駆動板に係合でき、これにより、前記保持部材が、前記ハンドル部分に対して前記回転軸の周りに複数の異なる角度で振動回転するように駆動できるようになっている、請求項５に記載の外科用鋸器具。
【請求項８】
前記駆動板が、前記回転軸の周りに円形パターンで配置された複数の溝を含み、
前記保持部材が、前記回転軸の周りに円形パターンで配置された複数の歯を含み、これらの歯が、前記保持部材が前記係合位置にある状態で前記溝の内部に保持され、且つ前記保持部材が前記解放された位置にある状態で前記溝から離れて動くようになっている、請求項７に記載の外科用鋸器具。
【請求項９】
前記駆動板が、前記解放方向の反対側に向かって内側に延在するフランジを有する中央穴を含み、
前記解放ピンが、前記保持部材及び前記クランプ部材に作動可能に接続される前記解放ピンの第１の端部から前記駆動板の前記中央穴を通って、前記駆動板及び前記ハウジングから外側に配置される第２の端部まで延在し、
前記解放ピンが、前記解放方向に向かって外側に延在するフランジを含み、
前記器具が解放ピンを更に備え、
前記解放ピンが、前記解放ピンの前記第２の端部を前記解放方向に動かすことによって前記解放された位置へと動くようになっている、請求項７に記載の外科用鋸器具。
【請求項１０】
前記器具が、前記解放ピンの前記第１の端部に強固に装着され且つ前記解放ピンの軸に対して垂直に延在するクロスピンを更に含み、
前記クランプ部材が円形穴を更に含み、
前記クロスピンが前記円形穴を通って延在して前記クランプ部材を前記解放ピンに付着させ、
前記保持部材が、前記解放ピンの軸に対して平行な方向に溝削りされたスロット穴を更に含み、且つ
前記クロスピンが前記スロット穴を通って延在して前記保持部材を前記解放ピンに摺動可能に付着させる、請求項９に記載の外科用鋸器具。
【請求項１１】
一端で開いた前記細長いスロットが、前記保持部材の内部のスロットにより形成され、且つ
前記クランプ部材が、前記クランプ位置に前記クランプ部材がある状態で前記保持部材内の前記スロット内に保持されているクランプ面を含む、請求項７に記載の外科用鋸器具。
【請求項１２】
外科用鋸器具であって、
外科用鋸刃と、
ハウジングと、
回転軸の周りを回転するように前記ハウジング内に装着された駆動板であって、前記回転軸から放射状に変位する溝を有し、振動回転で駆動される、駆動板と、
前記外科用鋸刃を解放可能に保持し、前記駆動板へ向かって延在する歯を含む保持部材であって、前記保持部材が、前記回転軸の周りを回転するように前記ハウジング内に装着され、前記歯が前記溝内に保持されている係合位置から前記回転軸に沿って解放方向へ向かって解放された位置まで摺動し、この解放された位置では前記歯が前記溝から離れて前記解放方向の反対側に保持される、保持部材と、を備える、外科用鋸器具。
【請求項１３】
前記駆動板が、第１の円形パターンで配列された複数の溝を更に含み、
前記保持部材が、第２の円形パターンで配列された複数の歯を更に含み、
前記駆動板と前記保持部材とが、前記保持部材が前記係合位置にある状態で、前記回転軸の周りに互いに対して複数の異なる角度で結合され、且つ
前記保持部材が前記解放された位置にある状態では、前記歯及び溝がすべて互いに離間する、請求項１２に記載の外科用鋸器具。
【請求項１４】
前記駆動板が、前記解放方向の反対側に向かって内側に延在するフランジを有する、前記回転軸と同軸の中央穴を含み、
前記器具が、解放ピンを更に含み、前記解放ピンが、前記保持部材に作動可能に接続されて前記保持部材を前記解放方向及び前記解放方向の反対側へと動かす第１の端部と、前記駆動板及び前記ハウジングから外側へ延在している第２の端部と、の間で前記回転軸に沿って延在し、前記解放ピンが、前記駆動板の内部の前記中央穴を通って延在し、且つ、前記解放ピンが、前記解放方向に向かって外側に延在するフランジを含み、
前記器具が、前記駆動板の前記内側に延在するフランジと前記解放ピンの前記外側に延在するフランジとの間で前記解放ピンの周囲に延在する圧縮ばねを更に含み、前記圧縮ばねが、前記駆動部材と係合した状態に前記保持部材を保持する力を、前記解放ピンの前記外側に延在するフランジに印加し、
前記保持部材が、前記解放ピンの前記第２の端部を前記解放方向に押圧することによって、前記解放された位置へ移動する、請求項１３に記載の外科用鋸器具。
【請求項１５】
前記保持部材が、第１の端部にて開いた細長いスロット更に含み、前記細長いスロットが、離間した細長い側面と、前記細長い側面の間に延在する保持表面と、前記スロットの前記第１の端部の反対側の第２の端部にある端面と、を含み、
前記器具が、前記細長いスロットに隣接して配置されたクランプ面を有し、且つ前記細長いスロット内で移動可能なクランプ部材を更に含み、
前記解放ピンの前記第１の端部が前記クランプ部材に作動可能に接続し、
前記圧縮ばねが前記クランプ面を前記保持表面に向かって牽引する力を、前記解放ピンの前記外側に延在するフランジに印加し、且つ
前記クランプ面が、前記解放ピンの前記第２の端部を前記解放方向に押圧することによって、前記保持表面から離れた向きに動くようになっている、請求項１４に記載の外科用鋸器具。
【請求項１６】
前記器具が、前記解放ピンの前記第１の端部に強固に装着され且つ前記解放ピンの軸に対して垂直に延在するクロスピンを更に含み、
前記クランプ部材が円形穴を更に含み、
前記クロスピンが前記円形穴を通って延在して、前記クランプ部材を前記解放ピンに付着させ、
前記保持部材が、前記解放ピンの軸に対して平行な方向に溝削りされたスロット穴を更に含み、且つ
前記クロスピンが前記スロット穴を通って延在し、前記保持部材を前記解放ピンに摺動可能に付着させる、請求項１５に記載の外科用鋸器具。
【請求項１７】
前記外科用鋸刃が、前記外科用鋸刃の近位端にて細長いシャンクを含み、前記細長いシャンクが、平行した細長い直線側面と前記保持部材の前記細長いスロット内に嵌合する近位端面とを含む周面を含み、
前記外科用鋸刃の前記細長いシャンクが、前記圧縮ばねから前記解放ピンを介して伝達された力によって、前記保持部材の前記細長いスロット内に保持され、前記外科用鋸刃の前記細長いシャンクに対して前記クランプ部材を保持し、
前記外科用鋸刃が、前記細長いシャンクから外側へ向かって前記外科用鋸刃の遠位端まで延在する刃部分を更に含み、前記鋸刃の前記遠位端が、前記鋸刃の前記細長いシャンクが前記保持部材の前記細長いスロット内に保持された状態で前記解放ピンの前記軸と同軸の円弧軸の周りに円弧を形成する弓状線に沿って配置された、複数の外側に向かう鋸歯を含み、且つ
前記外科用鋸刃の前記細長いシャンクが、前記解放ピンの前記第２の端部を前記解放方向に押圧することによって前記保持部材の前記細長いスロットから解放される、請求項１５に記載の外科用鋸器具。
【請求項１８】
前記外科用鋸刃の前記細長いシャンクが、前記細長いシャンクの前記平行した細長い直線側面の中間に配置された第１の開口を更に備え、
前記クランプ部材が、第１の突起を更に含み、前記第１の突起が、前記鋸刃の前記細長いシャンクが前記保持部材の前記細長いスロット内に保持された状態で、前記保持部材の内部の前記細長いスロットの前記細長い側面の中間に配置されて、前記解放方向の反対側に前記クランプ面から前記第１の開口内まで延在し、
前記第１の突起が、前記圧縮ばねから前記解放ピンを介して伝達された力によって前記第１の開口の内部に保持され、前記外科用鋸刃の前記細長いシャンクに対して前記クランプ部材を保持し、且つ
前記解放ピンの前記端部を前記解放方向に押圧することによって、前記第１の突起が前記第１の開口から取り外せる、請求項１７に記載の外科用鋸器具。
【請求項１９】
前記第１の突起が、前記スロットの前記端面に面し前記クランプ面に対して垂直に延在する位置決め面と、前記クランプ面から前記位置決め面の縁まで傾斜角で延在する傾斜面と、を含む、請求項１８に記載の外科用鋸器具。
【請求項２０】
前記外科用鋸刃の前記細長いシャンクが、前記細長いシャンクの前記平行した細長い直線側面の中間に配置された、前記第１の開口から離間する第２の開口を更に備え、
前記クランプ部材が、第２の突起を更に含み、前記第２の突起が、前記鋸刃の前記細長いシャンクが前記保持部材の前記細長いスロット内に保持された状態で、前記保持部材の内部の前記細長いスロットの前記細長い側面の中間に配置されて、前記解放方向の反対側に前記クランプ面から前記第２の開口内まで延在し、
前記第２の突起が、前記圧縮ばねから前記解放ピンを介して伝達された力によって前記第２の開口の内部に保持され、前記外科用鋸刃の前記細長いシャンクに対して前記クランプ部材を保持し、且つ
前記第２の突起が、前記解放ピンの前記端部を前記解放方向に押圧することによって前記第２の開口から取り外せる、請求項１８に記載の外科用鋸器具。
【請求項２１】
前記第１及び第２の突起のそれぞれが、前記クランプ面に対して垂直に延在する、前記スロットの前記端面に面する位置決め面と、傾斜角にて前記クランプ面から前記位置決め面の縁まで延在する傾斜面と、を含む、請求項２０に記載の外科用鋸器具。
【発明の詳細な説明】
【技術分野】
【０００１】
本発明は概して動力式の外科用切断装置に関し、より詳しくは本発明は回転振動によって駆動される鋸刃を具備する装置に関する。
【背景技術】
【０００２】
外科的処置の間、外科医は電動式鋸を使用して骨及び他の組織を切断することができる。この種のシステムは一般に、駆動機構に装着された交換可能な刃を含む。外科医は患者への外傷を防ぐ目的で、また周辺組織に対する損傷を軽減しようと試み、切断操作中に患者において鋸刃を特定の角度に配置する。現行のシステムには、駆動機構に固定される鋸刃が設けられていないため、患者において刃の効果的な配向が提供されない。それ故、当該技術分野においては、鋸刃を効率よく且つ患者の外傷を軽減するように配向できる駆動機構を備えた装置に対するニーズが存在する。
【発明の概要】
【課題を解決するための手段】
【０００３】
回転振動によって駆動される鋸刃を具備する外科用切断装置に係るシステム及び方法が提示されている。本開示の態様は、保持部材、クランプ部材及び解放ピンを具備する外科用鋸器具に関する。保持部材は、外表面と、第１の端部において開いた細長いスロットとを具備していてもよく、この保持部材において細長いスロットは、離間した細長い側面と、細長い側面の間に延在する保持表面と、スロットの第１の端部に対向する第２の端部における端面と、を備える。クランプ部材は、細長いスロットに隣接して配置され、細長いスロット内で移動可能なクランプ面を含み得る。解放ピンは、クランプ部材に強固に装着され、保持部材に摺動可能に装着された第１の端部と、クランプ部材及び保持部材から間隔をおいて配置された第２の端部と、第１の端と第２の端との間に延在する軸と、を具備し得る。解放ピンを、保持部材に対して解放方向へ解放ピンの軸と平行に動かすと、クランプ面を保持表面から離れた向きへ動かせる。
【０００４】
本開示の別の態様は、ハウジングと、駆動板と、保持部材と、クランプ部材と、解放ピンと、を含む外科用鋸器具に関する。保持部材は、回転軸の周りを回転するように装着でき、駆動板と共に回転するように係合位置に保持され得る。保持部材は、解放された位置に更に動かすことによって、駆動板とは独立に回転させることができる。クランプ部材は、保持部材と共に回転軸の周りを回転するように装着でき、クランプ位置に保持部材の上に保持することもできる。クランプ部材は、保持部材から離れて開位置まで移動でき、クランプ位置において保持部材及びクランプ部材が、開口端を有する細長いスロットを形成し、この細長いスロットの開口端から外部に延在する刃部分を有する外科用鋸刃のシャンクを保持できるようになっている。クランプ位置において保持部材及びクランプ部材は、外科用鋸刃のシャンクを解放するための細長いスロットを形成でき、細長いスロットの開口端を通して取り外せるようになっている。解放ピンは保持部材を係合位置に保持すると同時に、この係合位置において更にクランプ部材を保持している。解放ピンは、解放された位置に動かすことができ、解放された位置において解放ピンは、保持部材を解放された位置に保持し、クランプ部材を開口位置に保持している。
【０００５】
本開示の更なる態様は、外科用鋸刃と、ハウジングと、駆動板と、保持部材と、を含む外科用鋸器具に関する。駆動板は、回転軸の周りを回転するようにハウジング内に装着でき、振動回転で駆動され得る。駆動板は、回転軸から放射状に変位した溝を有し得る。保持部材は外科用鋸刃を解放可能に保持できる。保持部材は、駆動板に向かって延在する歯を含み得る。保持部材は、回転軸の周りを回転するようにハウジング内に装着でき、回転軸に沿って係合位置から解放方向へ摺動し得る。係合位置において歯は溝の中では解放された部分まで保持され、解放された部分において歯は溝から離れて解放方向の反対側に保持される。
【０００６】
本発明の１つ以上の実施形態の詳細を、添付の図面及び以下の説明で明らかにする。本発明の他の特徴、目的、及び利点は、説明及び図面、並びに特許請求の範囲から明らかとなるであろう。
【図面の簡単な説明】
【０００７】
下掲の図面においては、装置について更に詳細に説明する。図面は、好適な装置の構造、及び単独で又は他の特徴と組み合わせて使用できる特定の種の特徴を例示する例にすぎない。本発明は、示されている例に限定すべきではない。
【図１】本発明に従って製作された外科用切断装置の右側立面図である。
【図２】図１の外科用切断装置の駆動ヘッドの平面図である。
【図３】図１の断面線３−３に示されるように切った図２の駆動ヘッドの横断平面図である。
【図４】図２の駆動ヘッドの第１の横断面右側立面図であり、同図では、断面線４−４によって示されるように切った、開口位置における刃保持機構、及び解放された位置におけるロック機構を示してある。
【図５】図２の駆動ヘッドの第２の横断面右側立面図であり、断面線４−４によって示されるように更に切った、クランプ位置における刃保持機構、及び係合位置におけるロック機構を示してある。
【図６】図２の駆動ヘッドの透視図であり、相互に分解された関係における要素を示してある。
【図７】図２の駆動ヘッド内の保持部材を、上から見て示した斜視図である。
【図８】図２の駆動ヘッド内のクランプ部材を、下から見て示した斜視図である。
【図９】図１の外科用切断装置の外科用鋸刃の平面図である。
【図１０】図９の外科用鋸刃の側面図である。
【図１１】図９の外科用鋸刃の端面図である。
【図１２】図１の外科用切断装置に用いられる第１の代替外科用鋸刃である。
【図１３】図１の外科用切断装置に用いられる第２の代替外科用鋸刃である。
【発明を実施するための形態】
【０００８】
以下の説明において、特定の専門用語は便宜上のためにのみ使用され、限定的ではない。単語「右側」、「左側」、「下側」及び「上側」は、図面において参照される方向を示す。単語「内側」、「外側」はそれぞれ、記述されている特徴又は装置の幾何中心に向かう方向、及び幾何中心から離れる方向を指す。単語「遠位」及び「近位」は、記載されている項目の文脈において解釈される方向を指し、本明細書に記載されている器具に関しては典型的に、この種の器具を使用する外科医の遠近感に基づく。専門用語には、前述で列挙した語、その派生語、及び同様の意味を有する語が含まれる。
【０００９】
加えて、本明細書において各種コンポーネントは、横方向及び縦方向に沿って水平に、並びに横断方向に沿って垂直に延在するものとして記述され得る。本明細書において特に明記しない限り、「縦」、「横」、及び「横断」という語は、様々なアイテムの直交する方向成分を示すために用いられている。理解されたいこととして、縦及び横方向は水平面に沿って延びるものとして示されており、横断方向は垂直面に沿って延びるものとして示されているが、様々な方向を包含する平面は使用中に異なり得る。したがって、「垂直」及び「水平」という方向に関する用語は、単に明確化及び例証目的で構成要素を記載するために用いられているものであり、制限を意図したものではない。
【００１０】
本発明の特定の例については、次に図面を参照しながら説明する。この種の実施形態は一般に、回転振動によって駆動される鋸刃を含む外科用切断装置１００に関する。最初に、実施例の外科用切断装置１００の外側形体について図１及び図２を参照しながら考察する。図１は実施例の外科用切断装置１００の右側立面図であり、図２は外科用切断装置１００と関連する実施例駆動ヘッド１０２の平面図である。
【００１１】
外科用切断装置１００は、駆動ヘッド１０２とハンドル部分１０４とを含む。外科用鋸刃１０６は、回転軸１１０の周りを角度１０８で振動して保持され、回転可能に駆動される。角度１０８は、軸１１０の周囲に回転外科用鋸刃１０６によって画定された半径の任意の部分を含み得る。例えば、角度１０８は、図２において実線で示される位置と一点鎖線１１２で示される位置との間を４５°の角度にて外科用鋸刃１０６が駆動されるような、４５°のセグメントに相当し得る。代替として、駆動ヘッド１０２内の駆動機構１３０は、外科用鋸刃１０６を４５°刻みの増分で振動させることによって、一点鎖線１１４で示される位置と一点鎖線１１６で示される位置との間を外科用鋸刃１０６が駆動されるように構成してもよい。
【００１２】
角度１０８は、軸１１０の周囲に形成される半円１２２を含み得る。角度１０８及び／又は半円１２２は、セグメントに分割され得る。セグメントは、軸１１０の周囲に回転外科用鋸刃１０６によって画定された角度１０８の任意の部分を含み得る。例えば、図２に示されるように、半円１２２は４つの対応する４５°のセグメント１２０を含み得る。駆動ヘッド１０２は、回転軸１１０の周囲の４つのセグメント１２０のそれぞれを介して外科用鋸刃１０６を駆動するように構成できる。更なる実施例において、角度１０８及び／又は半円１２２は、軸１１０の周囲の任意の数のセグメント１２０を含んでいてもよく、駆動ヘッド１０２は、セグメント１２０のそれぞれを介して外科用鋸刃１０６を駆動するように構成できる。別の実施例において、駆動ヘッド１０２は、軸１１０の周囲に回転外科用鋸刃１０６により画定された角度１０８及び／又は半円１２２を介して連続的に外科用鋸刃１０６を駆動するように構成できる。更なる実施例（図示されない）において、駆動ヘッド１０２は、軸１１０の周囲に外科用鋸刃１０６の３６０°回転により画定される任意の角度を介して外科用鋸刃を駆動するように構成できる。
【００１３】
図１に示されるように、ハンドル部分１０４は、軸１１０から外側へ矢印方向１２３に延在し得る。実施例のハンドル部分１０４は、軸１１０に対して垂直に延在する。結果として、セグメント１２０のそれぞれは、ハンドル部分１０４に対して軸１１０周りに別の角度関係を有し得る。セグメント１２０のいずれにおいても外科用鋸刃１０６が作動するように駆動ヘッド１０２が構成される機能を利用すれば、固定された位置でハンドル部分１０４を保持しながら、外科用鋸刃１０６を使用して患者における様々な領域への到達を容易にできる。ハンドル部分１０４は、駆動機構１３０の操作が制御されるように構成された電気的スイッチ１２６と接触する制御レバー１２４を含んでもよい。例えば、スイッチ１２６を使用して、駆動機構１３０のオン／オフの切り替えができる。制御レバー１２４を使用して、例えば、鋸刃１０６の駆動速度を制御できる。
【００１４】
軸１１０の周りに外科用鋸刃１０６の振動回転を生起する目的で使用される駆動機構１３０については、次に図３及び図４を参照しながら考察する。図３は、外科用切断装置１００の駆動ヘッド１０２を、図１の断面線３−３によって示されるように切った横断面平面図である。図４は、駆動ヘッド１０２を、図２の断面線４−４によって示されるように切った横断面右側立面図である。
【００１５】
駆動機構１３０の内部では、駆動軸１３３周囲における軸１３２の連続回転が、駆動軸１３３に直交する回転軸１１０の周囲における駆動板１３７の振動回転に変換される。駆動軸１３２は、電力源によって駆動される。実施例の電力源は、駆動ヘッド１０２からハンドル部分１０４まで延在する電動モータ１３４（図１に示す）を具備していてもよく、その場合は、バッテリーパック１３５によって電力がハンドル部分１０４の内部にも供給される。駆動軸１３２は、駆動ヘッド１０２のハウジング１３６内部に回転可能に装着される。例えば、駆動軸１３２は玉軸受け１３８を使用して装着できる。駆動機構１３０の遠位端とハウジング１３６内の空間１４０の間の汚染は、シール１４２によって防止される。シール１４２は、ハウジング１３６との接触を維持する目的で、スプリング装填リップとＯリングとを含んでもよい。駆動板１３７はスリーブ１４４を含み、このスリーブは、保持用クリップ１４７を介して定位置に保持されている一対の玉軸受け１４６によって軸１１０の周りを回転するようにハウジング１３６内に装着されている。駆動板１３７は、離間した一対の接触面１４８を含み、それら接触面の間にはローラー１５０が配置され、このローラー１５０は偏心軸１５２上に回転可能に装着されている。この偏心軸は、駆動軸１３３からの半径方向距離１５４にて駆動軸１３２に装着されており、駆動軸１３２が駆動されると、駆動板１３７が順に振動する。駆動軸１３２は、可変の回転速度で駆動できる。例えば、駆動軸１３２の回転速度は、制御レバー１２４の角度に応じて変動し得る。
【００１６】
図２を参照しながら上述したように、ロック機構１７０によって様々な位置で駆動板１３７に保持部材１７２を係合させ、特定の角度及び／又はセグメント１２０を判別し、このセグメントを介して鋸刃１０６を駆動することに関しては、以下引き続き図３及び図４を参照し、更に図５及び図６を参照しながら考察する。図５は図４に似た駆動ヘッド１０２の横断面立面図であるが、図４においては、鋸刃保持機構１７４が開いた位置に示されており、その位置に外科用鋸刃１０６を挿入できるか又はその位置から外科用鋸刃１０６を取り外せるようになっている。図６は駆動ヘッド１０２の透視図であり、その駆動ヘッド内の要素どうしの相互の分解関係を示してある。
【００１７】
保持部材１７２は、解放ピン１７６により摺動可能且つ回転可能に駆動板１３７に装着されている。解放ピン１７６の第１の端１７８から、解放ピン１７６における穴１８０を貫通し、保持部材１７２におけるスロット１８２を通って延在するクロスピン１７７によって、保持部材１７２と解放ピン１７６との間の摺動連結が形成されている。スリーブ１４４を通って延在する中央穴１８４と解放ピン１７６との間には、摺動連結及び回転連結が生じている。図５に示されるように、駆動板１３７は、軸１１０の周りに円形パターンで配列された複数の溝１８６を具備する。それに対して、保持部材１７２は、別の円形パターンで配列されており、駆動板１３７及び保持部材１７２が共に保持されているときに溝１８６に係合するように構成される、複数の歯１８８を含む。別の実施例においては、図４に示されるように、駆動板１３７及び保持部材１７２が離れて保持されているときには歯１８８が溝１８６と係合しないため、保持部材が軸１１０の周りを回転できる。
【００１８】
図５の係合位置においてロック機構１７０が保持されると、圧縮ばね１９０を矢印１９６の解放方向に向かって外側に延在するフランジ１９２を押圧することによって、駆動板１３７が保持部材１７２に係合し、解放ピン１７６の一部分が形成される。スリーブ１４４の中央穴１８４内では、フランジ１９２と内部に延在するフランジ１９３との間に、圧縮ばね１９０が保持されている。ユーザーが解放ピン１７６の第２の端部１９４に形成されたボタン面を矢印１９６の解放方向に押すと、ロック機構１７０が図４の解放された位置に動く。解放された位置にロック機構１７０があるときは（図２に示されるように）、ユーザーが保持部材１７２を軸１１０の周りに回転させて、角度及び／又はセグメント１２０を判別することができ、このセグメントを通して外科用鋸刃１０６が駆動される。続いて、第２の端部１９４が解放されると、圧縮ばね１９０が保持部材１７２を押圧して駆動板１３７に係合する。溝１８６及び歯１８８にテーパをつけることで、保持部材１７２を駆動板１３７に係合する工程を開始するのに要する保持部材１７２の回転揺れの量を最小限に抑えることができる。
【００１９】
鋸刃保持機構２１０については、次に引き続き図４〜６を参照し、更に図７及び図８を参照しながら考察する。図７は保持部材１７２を下から見た透視図であり、図８はクランプ部材２１２を下から見て示した透視図である。保持部材１７２は、鋸刃１０６の細長いシャンク２１６を保持するための細長いスロット２１４と、解放ピン１７６が延在して入り込む中央穴２１８と、矢印１９６の解放方向に延在する横スロット１８２であってクロスピン１７７が貫通する横断スロット１８２と、を含む。保持部材１７２の一部分として外部へ延在する一対のタブ２２３によって、細長いシャンク２１６の強固な付着が支持されている。
【００２０】
クランプ部材２１２は、クロスピン１７７を押圧して入り込ませる一対の穴２２２と、その開口２２７及び２２８内部の鋸刃１０６の細長いシャンク２１６に係合し保持する一対のテーパ突起２２１と、を含む。このようにして、クランプ部材２１２及び解放ピン１７６を相互に保持して共に動かせると同時に、保持部材１７２を解放ピン１７６と共にその中のスロット１８２の伸長によって可能となる距離全体に動かせるようになっている。
【００２１】
図４及び図５に示されるように、鋸刃保持機構２１０が組付けられると、保持部材１７２の上側部分２２４がクランプ部材２１２における空洞２２６の内部に配置され、タブ２２３がクランプ部材２１２におけるスロット２２５を通って矢印方向２３４に向かって外側に延在する。続いて、駆動板１３７に係合する保持部材１７２を更に保持する圧縮ばね１９０によって、図５のクランプ位置において鋸刃保持機構２１０が保持される。例えば、圧縮ばね１９０は、矢印１９６の解放方向に対向して作用する力を解放ピン１７６のフランジ１９２に印加し、この力を解放ピン１７６、クロスピン１７７及びクランプ部材２１２を通して伝達させて、外科用鋸刃１０６の細長いシャンク２１６に力を印加する。
【００２２】
鋸刃保持機構２１０から鋸刃１０６を取り外す場合、ユーザーは解放ピン１７６の端部にて第２の端部１９４を矢印１９６の解放方向に押圧して、クランプ部材２１２を図４に示される開位置に入るように動かす。円形穴２２２を通って延在するクロスピン１７７によって、クランプ部材２１２が解放ピン１７６に装着されているため、ユーザーが第２の端部１９４上を押圧すると、クランプ部材２１２が解放ピン１７６と共に動く。別の実施例においては、スロット穴１８２を通って延在するクロスピン１７７によって、保持部材１７２が解放ピン１７６に装着されているため、保持部材１７２はその全動作にわたって、矢印１９６の解放方向にクランプ部材２１２と共に動くことができる。それ以外の場合、クランプ部材２１２が矢印１９６の解放方向へ最初に動いている間、保持部材１７２は駆動板１３７に係合した状態に維持され、続いて、可動クロスピン１７７が各スロット穴１８２の端２３６に接触すると、保持部材１７２が矢印１９６の解放方向に動き始める。いずれの場合も、保持部材１７２が動いて駆動板１３７から離れて全く係合しなくなり、歯１８８が溝１８６から離れた状態に維持される。続いて、解放ピン１７６の第２の端部１９４上に圧力が保持され、図４の開位置においてクランプ部材２１２が保持されている間、ユーザーが鋸刃１０６を矢印１９６の解放方向の反対側に動かすと、鋸刃シャンク２１６内部の開口２２７及び２２８がクランプ部材２１２内部の突起２２１から離れた側に移動し、続いて、鋸刃１０６を矢印２３４の方向へ外側に牽引すると取り外せるようになる。
【００２３】
外科用鋸刃１０６を鋸刃保持機構２１０の内部に挿入させる場合、ユーザーは解放ピン１７６の第２の端部１９４を再び矢印１９６の解放方向に押圧する。例えば、鋸刃保持機構２１０が構築されると、クランプ部材２１２及び保持部材１７２が共に保持されている場合でも、スロット開口部２４０が残って細長いシャンク２１６の挿入が可能になるため、鋸刃１０６が挿入され始める。続いて、鋸刃１０６が矢印２３４の方向の反対側に内部へ移動すると、細長いシャンク２１６の近位端２４２、及び細長いシャンク２１６内の開口２２７と２２８との間のストラップ２４４が突起２２１の傾斜面２４６に沿って動き、細長いシャンク２１６が、これらの傾斜面２４６と接触することによって矢印１９６の解放方向の反対側に押圧され、必要に応じて保持部材１７２が離れた位置へと動く。続いて、細長いシャンク２１６が矢印２３４の方向の反対側に内側へ向かってできるだけ遠くに移動すると、近位端２４２がクランプ部材２１２の内表面２４８に対して移動してから、開口２２６及び２２７が突起２２１に整列配置される。その後、ユーザーが解放ピン１７６の第２の端部１９４にかかる圧力を解放すると、圧縮ばね１９０によってクランプ部材２１２及び保持部材１７２が矢印１９６の解放方向の反対側に動き、クランプ部材２１２と保持部材１７２との間に細長いシャンク２１６がクランプされ、開口２２７及び２２８の内部に突起２２１が保持される。このように保持部材１７２が矢印１９６の解放方向の反対側に移動すると、保持部材１７２の歯１８８が駆動板１３７の溝１８６内に係合する。ユーザーは、必要に応じて、保持部材１７２を軸１１０の周りに回転するように揺動させて、適切な係合を達成することができる。保持部材１７２を軸１１０の周りに回転させることによって、鋸刃１０６が駆動される角度（図２に示す）を画定している角度及び／又はセグメント１２０が判別され得る。
【００２４】
外科用鋸刃１０６及び代替鋸刃の様々な特徴については、次に図９〜１３を参照しながら説明する。図９〜１１は外科用鋸刃１０６を示す。図９は実施例の外科用鋸刃１０６の平面図、図１０は側面図であり、図１１は端面図である。図１２は別の実施例の鋸刃２６０の平面図である。図１３は、更なる実施例の鋸刃２６２の平面図である。
【００２５】
本発明によれば、鋸刃１０６、２６０及び２６２はそれぞれ、刃部分２６４を具備するほかに、近位端２４２と直列型の細長い側面２６６と遠位の開口２２７と近位の開口２２８とを有する細長いシャンク２１６も具備する。これらの形体は、シンメトリ２６３の直線について対称である。遠位の開口２２７は好ましくは、刃部分２６４に最も近い凸状曲面２６８を含む。凸状曲面２６８の湾曲は、外科用切断装置１００の操作中に発生する曲げ応力の集結度を低減し得る。
【００２６】
鋸刃１０６、２６０、２６２などの複数の外科用鋸刃は、外科用切断装置１００内部での代替利用の目的に提供され得る。鋸刃１０６、２６０、２６２間の相違は、それらそれぞれの刃部分２６４において生じる。鋸刃１０６、２６０、２６２の細長いシャンク２１６は同一であってもよく、上述したように、それぞれは鋸刃保持機構２１０の内部で密接に嵌合するように構成される。刃部分２６４のそれぞれの遠位端２６７は、細長いシャンク２１６内部の弓形軸２７６の周りの半径２７４に配置された長さ２７２の円弧２７０に沿って配設された複数の鋸歯２６９を含む。細長いシャンク２１６が鋸刃ロック機構１７０に挿入されると、弓形軸２７６が回転軸１１０に整列配置される。例えば、鋸刃１０６、２６０及び２６２は、別の弓形長さ２７２及び／又は半径２７４を有するという点で相互に異なる。
【００２７】
外科用切断装置１００を使用することにより、外科的処置中の鋸刃１０６入れ替え工程がはるかに単純化される。ユーザーは外科用切断装置１００を用いることによって、細長いシャンク２１６を細長いスロット２１４に挿入するだけで済む。そのうえ、鋸刃１０６は従来のデザインよりも幅狭になった結果、実質的な使用の軽減、処理時間の短縮、及び省スペース化につながり、究極的にユーザーにとってコストの節減になる。前述した説明及び図面は、本発明の実施例を表すが、それに関して、添付の特許請求の範囲において定義されているように、本発明の趣旨及び範囲を逸脱せずに様々な追加、修正、組み合わせ及び／又は置き換えを行うことができることが理解されよう。特に、本発明が、他の特定の形態、構造、配置、比率で、また他の要素、材料、及び構成要素を用いて、その趣旨又は本質的な特性から逸脱することなく具現化され得ることが、当業者には明らかとなるであろう。当業者は、本発明が、本発明の原理から逸脱することなく、特定の環境及び動作要件に特に適合される、本発明の実践において使用される、構造、配置、比率、材料、及び構成要素の多くの修正を伴って、並びに別の方法で、使用され得ることを認識するであろう。加えて、本明細書において記述されている形体を単独で、又は他の形体と組み合わせて使用することもできる。したがって、今般開示される実施例は、あらゆる点において、限定的なものではなく、例示的なものであると見なされるべきであり、本発明の範囲は、添付の特許請求の範囲によって示され、前述の説明に限定されることはない。
【００２８】
加えて、本明細書において開示されている様々な実施例は、組織内の空洞の形成及び／又は増加が治療又は診断の目的に必要とされる実質的にあらゆる体内部位に合うように適合され得る。骨の治療に関して、いくつかの実施例が本明細書に記述されているが、他の体内部位における他の実施例も使用され得る。加えて、医療以外の用途、とりわけ建築、製造、及び掘削などに対して特定の実施例を使用できることも予期される。したがって、本明細書において様々な実施例を医療用途のみに適用するという制限は意図されていない。
【００２９】
前述の実施例に対してその広範な発明概念から逸脱することなく変更を行うことができることは、当業者に理解されるであろう。それ故、本発明は開示されている特定の実施例に制限されないが、下掲の特許請求の範囲に定義されているような本発明の趣旨及び範囲に入る修正を包含することを意味したものであることが理解される。
【００３０】
〔実施の態様〕
（１）  外科用鋸器具であって、
外表面と、第１の端部において開放された細長いスロットとを含む保持部材であって、前記細長いスロットが、離間した細長い側面と、前記細長い側面の間に延在している保持表面と、前記細長いスロットの前記第１の端部に対向する第２の端部における端面と、を含む、保持部材と、
前記細長いスロットに隣接して配置されたクランプ面を有し、前記細長いスロット内で移動可能なクランプ部材と、
前記クランプ部材に強固に装着され、前記保持部材に摺動可能に装着された第１の端部と、前記クランプ部材及び前記保持部材から間隔をおいて配置された第２の端部と、前記第１の端部と前記第２の端部との間に延在する軸と、を有する解放ピンと、を含み、
前記解放ピンを前記解放ピンの軸と平行に、前記保持部材に対して解放方向へ動かすと、前記クランプ面が前記保持表面から離れた向きへ移動する、外科用鋸器具。
（２）  ハウジングと、
前記解放ピンを保持し且つ前記解放ピンの軸と平行に摺動するスリーブであって、前記ハウジング内に載置され、前記解放ピンの軸の周りを回転するスリーブと、
を更に備える、実施態様１に記載の器具。
（３）  前記器具が、前記解放ピンの前記第１の端部に強固に装着され前記解放ピンの軸に対して垂直に延在するクロスピンを更に含み、
前記クランプ部材が円形穴を更に含み、
前記クロスピンが前記円形穴を通って延在して前記クランプ部材を前記解放ピンに付着させ、
前記保持部材が、前記解放ピンの軸に平行な方向に溝削りされたスロット穴を更に含み、且つ
前記クロスピンが、前記スロット穴を通って延在して前記保持部材を前記解放ピンに摺動可能に付着させる、実施態様１に記載の器具。
（４）  前記解放ピンが、前記解放方向の反対側に向かって外側に延在するフランジを更に含み、
前記解放ピンの前記第２の端部が前記スリーブを越えて延在し、
前記スリーブが、前記解放方向に向かって内側に延在するフランジを更に含み、且つ
前記器具が、前記解放ピンの前記外側に延在するフランジと前記スリーブの前記内側に延在するフランジとの間に延在する圧縮ばねを更に備える、実施態様２に記載の器具。
（５）  外科用鋸器具であって、
ハウジングと、
駆動板と、
回転軸の周りを回転するように装着され、前記駆動板と共に回転するように係合位置内に保持されている保持部材であって、解放された位置に更に移動でき前記駆動板とは独立に回転するようになっている、保持部材と、
前記保持部材と共に前記回転軸の周りを回転するように装着され、前記保持部材上でクランプ位置に保持されたクランプ部材であって、前記保持部材から離して開位置へと移動でき、前記クランプ位置において前記保持部材及び前記クランプ部材が、開口端を有する細長いスロットを形成し、前記細長いスロットの前記開口端から外部に延在している刃部分を有する前記外科用鋸刃のシャンクを保持しており、前記クランプ位置において前記保持部材及び前記クランプ部材が、外科用鋸刃のシャンクを解放するための細長いスロットを形成して前記細長いスロットの前記開口端を通して取り外せるようになっている、クランプ部材と、
前記保持部材を前記係合位置に保持すると同時に、前記係合位置において更に前記クランプ部材を保持し、解放された位置に移動可能な解放ピンであって、前記解放位置にある前記解放ピンが前記保持部材を前記解放された位置に保持し、前記クランプ部材を前記開位置に保持する、解放ピンと、を備える、外科用鋸器具。
【００３１】
（６）  モータと、
前記モータを介して回転式に駆動される駆動軸と、
前記駆動軸の端に配置された偏心軸と、
前記偏心軸上に回転可能に装着されたローラーであって、前記駆動板が、離間した接触面を更に含み、前記接触面が、前記ローラーの両側に係合して前記駆動板を振動回転させる、ローラーと、を更に備える、実施態様５に記載の外科用鋸器具。
（７）  前記器具が、前記回転軸から外側に向かって前記回転軸に対して垂直な方向に延在するハンドル部分を更に備え、且つ
前記保持部材が、前記回転軸の周りに複数の異なる角度で前記駆動板に係合でき、これにより、前記保持部材が、前記ハンドル部分に対して前記回転軸の周りに複数の異なる角度で振動回転するように駆動できるようになっている、実施態様５に記載の外科用鋸器具。
（８）  前記駆動板が、前記回転軸の周りに円形パターンで配置された複数の溝を含み、
前記保持部材が、前記回転軸の周りに円形パターンで配置された複数の歯を含み、これらの歯が、前記保持部材が前記係合位置にある状態で前記溝の内部に保持され、且つ前記保持部材が前記解放された位置にある状態で前記溝から離れて動くようになっている、実施態様７に記載の外科用鋸器具。
（９）  前記駆動板が、前記解放方向の反対側に向かって内側に延在するフランジを有する中央穴を含み、
前記解放ピンが、前記保持部材及び前記クランプ部材に作動可能に接続される前記解放ピンの第１の端部から前記駆動板の前記中央穴を通って、前記駆動板及び前記ハウジングから外側に配置される第２の端部まで延在し、
前記解放ピンが、前記解放方向に向かって外側に延在するフランジを含み、
前記器具が解放ピンを更に備え、
前記解放ピンが、前記解放ピンの前記第２の端部を前記解放方向に動かすことによって前記解放された位置へと動くようになっている、実施態様７に記載の外科用鋸器具。
（１０）  前記器具が、前記解放ピンの前記第１の端部に強固に装着され且つ前記解放ピンの軸に対して垂直に延在するクロスピンを更に含み、
前記クランプ部材が円形穴を更に含み、
前記クロスピンが前記円形穴を通って延在して前記クランプ部材を前記解放ピンに付着させ、
前記保持部材が、前記解放ピンの軸に対して平行な方向に溝削りされたスロット穴を更に含み、且つ
前記クロスピンが前記スロット穴を通って延在して前記保持部材を前記解放ピンに摺動可能に付着させる、実施態様９に記載の外科用鋸器具。
【００３２】
（１１）  一端で開いた前記細長いスロットが、前記保持部材の内部のスロットにより形成され、且つ
前記クランプ部材が、前記クランプ位置に前記クランプ部材がある状態で前記保持部材内の前記スロット内に保持されているクランプ面を含む、実施態様７に記載の外科用鋸器具。
（１２）  外科用鋸器具であって、
外科用鋸刃と、
ハウジングと、
回転軸の周りを回転するように前記ハウジング内に装着された駆動板であって、前記回転軸から放射状に変位する溝を有し、振動回転で駆動される、駆動板と、
前記外科用鋸刃を解放可能に保持し、前記駆動板へ向かって延在する歯を含む保持部材であって、前記保持部材が、前記回転軸の周りを回転するように前記ハウジング内に装着され、前記歯が前記溝内に保持されている係合位置から前記回転軸に沿って解放方向へ向かって解放された位置まで摺動し、この解放された位置では前記歯が前記溝から離れて前記解放方向の反対側に保持される、保持部材と、を備える、外科用鋸器具。
（１３）  前記駆動板が、第１の円形パターンで配列された複数の溝を更に含み、
前記保持部材が、第２の円形パターンで配列された複数の歯を更に含み、
前記駆動板と前記保持部材とが、前記保持部材が前記係合位置にある状態で、前記回転軸の周りに互いに対して複数の異なる角度で結合され、且つ
前記保持部材が前記解放された位置にある状態では、前記歯及び溝がすべて互いに離間する、実施態様１２に記載の外科用鋸器具。
（１４）  前記駆動板が、前記解放方向の反対側に向かって内側に延在するフランジを有する、前記回転軸と同軸の中央穴を含み、
前記器具が、解放ピンを更に含み、前記解放ピンが、前記保持部材に作動可能に接続されて前記保持部材を前記解放方向及び前記解放方向の反対側へと動かす第１の端部と、前記駆動板及び前記ハウジングから外側へ延在している第２の端部と、の間で前記回転軸に沿って延在し、前記解放ピンが、前記駆動板の内部の前記中央穴を通って延在し、且つ、前記解放ピンが、前記解放方向に向かって外側に延在するフランジを含み、
前記器具が、前記駆動板の前記内側に延在するフランジと前記解放ピンの前記外側に延在するフランジとの間で前記解放ピンの周囲に延在する圧縮ばねを更に含み、前記圧縮ばねが、前記駆動部材と係合した状態に前記保持部材を保持する力を、前記解放ピンの前記外側に延在するフランジに印加し、
前記保持部材が、前記解放ピンの前記第２の端部を前記解放方向に押圧することによって、前記解放された位置へ移動する、実施態様１３に記載の外科用鋸器具。
（１５）  前記保持部材が、第１の端部にて開いた細長いスロット更に含み、前記細長いスロットが、離間した細長い側面と、前記細長い側面の間に延在する保持表面と、前記スロットの前記第１の端部の反対側の第２の端部にある端面と、を含み、
前記器具が、前記細長いスロットに隣接して配置されたクランプ面を有し、且つ前記細長いスロット内で移動可能なクランプ部材を更に含み、
前記解放ピンの前記第１の端部が前記クランプ部材に作動可能に接続し、
前記圧縮ばねが前記クランプ面を前記保持表面に向かって牽引する力を、前記解放ピンの前記外側に延在するフランジに印加し、且つ
前記クランプ面が、前記解放ピンの前記第２の端部を前記解放方向に押圧することによって、前記保持表面から離れた向きに動くようになっている、実施態様１４に記載の外科用鋸器具。
【００３３】
（１６）  前記器具が、前記解放ピンの前記第１の端部に強固に装着され且つ前記解放ピンの軸に対して垂直に延在するクロスピンを更に含み、
前記クランプ部材が円形穴を更に含み、
前記クロスピンが前記円形穴を通って延在して、前記クランプ部材を前記解放ピンに付着させ、
前記保持部材が、前記解放ピンの軸に対して平行な方向に溝削りされたスロット穴を更に含み、且つ
前記クロスピンが前記スロット穴を通って延在し、前記保持部材を前記解放ピンに摺動可能に付着させる、実施態様１５に記載の外科用鋸器具。
（１７）  前記外科用鋸刃が、前記外科用鋸刃の近位端にて細長いシャンクを含み、前記細長いシャンクが、平行した細長い直線側面と前記保持部材の前記細長いスロット内に嵌合する近位端面とを含む周面を含み、
前記外科用鋸刃の前記細長いシャンクが、前記圧縮ばねから前記解放ピンを介して伝達された力によって、前記保持部材の前記細長いスロット内に保持され、前記外科用鋸刃の前記細長いシャンクに対して前記クランプ部材を保持し、
前記外科用鋸刃が、前記細長いシャンクから外側へ向かって前記外科用鋸刃の遠位端まで延在する刃部分を更に含み、前記鋸刃の前記遠位端が、前記鋸刃の前記細長いシャンクが前記保持部材の前記細長いスロット内に保持された状態で前記解放ピンの前記軸と同軸の円弧軸の周りに円弧を形成する弓状線に沿って配置された、複数の外側に向かう鋸歯を含み、且つ
前記外科用鋸刃の前記細長いシャンクが、前記解放ピンの前記第２の端部を前記解放方向に押圧することによって前記保持部材の前記細長いスロットから解放される、実施態様１５に記載の外科用鋸器具。
（１８）  前記外科用鋸刃の前記細長いシャンクが、前記細長いシャンクの前記平行した細長い直線側面の中間に配置された第１の開口を更に備え、
前記クランプ部材が、第１の突起を更に含み、前記第１の突起が、前記鋸刃の前記細長いシャンクが前記保持部材の前記細長いスロット内に保持された状態で、前記保持部材の内部の前記細長いスロットの前記細長い側面の中間に配置されて、前記解放方向の反対側に前記クランプ面から前記第１の開口内まで延在し、
前記第１の突起が、前記圧縮ばねから前記解放ピンを介して伝達された力によって前記第１の開口の内部に保持され、前記外科用鋸刃の前記細長いシャンクに対して前記クランプ部材を保持し、且つ
前記解放ピンの前記端部を前記解放方向に押圧することによって、前記第１の突起が前記第１の開口から取り外せる、実施態様１７に記載の外科用鋸器具。
（１９）  前記第１の突起が、前記スロットの前記端面に面し前記クランプ面に対して垂直に延在する位置決め面と、前記クランプ面から前記位置決め面の縁まで傾斜角で延在する傾斜面と、を含む、実施態様１８に記載の外科用鋸器具。
（２０）  前記外科用鋸刃の前記細長いシャンクが、前記細長いシャンクの前記平行した細長い直線側面の中間に配置された、前記第１の開口から離間する第２の開口を更に備え、
前記クランプ部材が、第２の突起を更に含み、前記第２の突起が、前記鋸刃の前記細長いシャンクが前記保持部材の前記細長いスロット内に保持された状態で、前記保持部材の内部の前記細長いスロットの前記細長い側面の中間に配置されて、前記解放方向の反対側に前記クランプ面から前記第２の開口内まで延在し、
前記第２の突起が、前記圧縮ばねから前記解放ピンを介して伝達された力によって前記第２の開口の内部に保持され、前記外科用鋸刃の前記細長いシャンクに対して前記クランプ部材を保持し、且つ
前記第２の突起が、前記解放ピンの前記端部を前記解放方向に押圧することによって前記第２の開口から取り外せる、実施態様１８に記載の外科用鋸器具。
【００３４】
（２１）  前記第１及び第２の突起のそれぞれが、前記クランプ面に対して垂直に延在する、前記スロットの前記端面に面する位置決め面と、傾斜角にて前記クランプ面から前記位置決め面の縁まで延在する傾斜面と、を含む、実施態様２０に記載の外科用鋸器具。
【図１】
2014117609.tif 000003
【図２】
2014117609.tif 000004
【図３】
2014117609.tif 000005
【図４】
2014117609.tif 000006
【図５】
2014117609.tif 000007
【図６】
2014117609.tif 000008
【図７】
2014117609.tif 000009
【図８】
2014117609.tif 000010
【図９】
2014117609.tif 000011
【図１０】
2014117609.tif 000012
【図１１】
2014117609.tif 000013
【図１２】
2014117609.tif 000014
【図１３】
2014117609.tif 000015
【外国語明細書】
2014117609000001.pdf